(57)【要約】【課題】バッテリー装置を電子機器に装着することなくバッテリー装置に関わるデータを電子機器によって容易に取得でき、しかも、バッテリー装置の小型化およびバッテリー容量の増大を図る上で有利なバッテリー装置および電子機器を提供する。【解決手段】バッテリー装置３０は、バッテリーセル３６と、バッテリー制御部３８およびＩＣタグ４０が設けられた制御基板とを有している。ＩＣタグ４０は、アンテナ５８、ＩＣタグ側通信部６０、メモリ部６２、インターフェース６４、制御部６６などを含んでいる。ＩＣタグ側通信部６０は、電子機器１０の電子機器側通信部７２との間でアンテナ５８を介して無線通信を行うものである。メモリ部６２は、バッテリー装置３０に関わるデータであるバッテリーデータを保持するものである【選択図】図３
2008034177.tif 000002
【特許請求の範囲】
【請求項１】
バッテリーセルと、前記バッテリーセルを収容するケースとを有するバッテリー装置であって、
アンテナと、
前記バッテリー装置が着脱可能に装着される電子機器に設けられた電子機器側通信部との間で前記アンテナを介して無線通信を行うバッテリー側通信部と、
前記バッテリー装置に関わるデータであるバッテリーデータを保持するメモリ部と、
前記バッテリー側通信部の制御および前記メモリ部に対する前記バッテリーデータのリードおよびライトの双方またはリードのみを行う制御部とを有する、
ことを特徴とするバッテリー装置。
【請求項２】
前記バッテリー側通信部は、前記バッテリー装置が前記電子機器に装着されていない状態で前記電子機器側通信部との間で無線通信を行う、
ことを特徴とする請求項１記載のバッテリー装置。
【請求項３】
前記ケースにバッテリー側操作スイッチが設けられ、
前記バッテリー側通信部は前記バッテリー側操作スイッチが操作されることに応じて前記電子機器側無線通信部との間で無線通信を行う、
ことを特徴とする請求項１記載のバッテリー装置。
【請求項４】
前記ケースにバッテリー側操作スイッチが設けられ、
前記バッテリー装置に前記バッテリー側通信部を介して前記電子機器側通信部によって読み取り可能な優先通信記憶部が設けられ、
前記優先通信記憶部は前記バッテリー側操作スイッチが操作されることで所定データが設定され、
前記電子機器側通信部は、前記バッテリー装置の前記優先通信記憶部に前記所定データが設定されているか否かを判別し、前記所定データが設定されている場合に前記バッテリー側通信部との間で無線通信を行う、
ことを特徴とする請求項１記載のバッテリー装置。
【請求項５】
前記バッテリーセルの電池残量を検出し残量データを生成する残量検出部を有し、
前記バッテリーデータは前記残量データを含むこと、
を特徴とする請求項１記載のバッテリー装置。
【請求項６】
前記バッテリー装置はＩＣタグを有し、
前記アンテナと、前記バッテリー側通信部と、前記メモリ部と、前記制御部は前記ＩＣタグに設けられている、
ことを特徴とする請求項１記載のバッテリー装置。
【請求項７】
バッテリー装置が装脱可能に装着される電子機器であって、
前記バッテリー装置が前記電子機器に装着されていない状態で、前記バッテリー装置に設けられたバッテリー側通信部との間で無線通信を行う電子機器側通信部を備え、
前記電子機器通信部と前記バッテリー側通信部との間でなされる無線通信は、前記バッテリー装置に関わるデータであるバッテリーデータの前記バッテリー側通信部からの受信を含む、
ことを特徴とする電子機器。
【請求項８】
前記電子機器に電子機器側操作スイッチが設けられ、
前記電子機器側通信部は、前記電子機器側操作スイッチが操作されることに応じて前記バッテリー側通信部との間での無線通信を行う、
ことを特徴とする請求項７記載の電子機器。
【請求項９】
前記電子機器側通信部は、前記電子機器側通信部との間での通信が可能な交信エリアに前記バッテリー側通信部が位置していることを検出するバッテリー側通信部検出部を有し、
前記電子機器側通信部は、前記バッテリー側通信部検出部の検出動作に応じて前記バッテリー側通信部との間での無線通信を行う、
ことを特徴とする請求項７記載の電子機器。
【請求項１０】
前記バッテリーデータは前記バッテリー装置の電池残量を示す残量データを含む、
ことを特徴とする請求項７記載の電子機器。
【請求項１１】
前記バッテリー装置はＩＣタグを有し、
前記バッテリー側通信部は前記ＩＣタグに設けられている、
ことを特徴とする請求項７記載の電子機器。
【請求項１２】
バッテリー装置が装脱可能に装着される電子機器であって、
バッテリー装置が前記電子機器に装着されている状態で、これから交換しようとするバッテリー装置に設けられたバッテリー側通信部との間で無線通信を行う電子機器側通信部を備え、
前記電子機器通信部と前記バッテリー側通信部との間でなされる無線通信は、前記これから交換しようとするバッテリー装置に関わるデータであるバッテリーデータの前記バッテリー側通信部からの受信を含む、
ことを特徴とする電子機器。
【発明の詳細な説明】
【技術分野】
【０００１】
本発明はバッテリー装置およびバッテリー装置が装着される電子機器に関する。
【背景技術】
【０００２】
デジタルスチルカメラ、ビデオカメラなどの電子機器では、バッテリー装置（バッテリーパック）を電源として用いている。
近年、バッテリー装置に、電子機器との間で通信を行なう通信部を設け、電子機器に装着されたバッテリー装置に関わるデータ、例えば、電池残量データを通信部によって電子機器に送信するようにしたものが提案されている（特許文献１参照）。このバッテリー装置では、バッテリー装置に設けられたバッテリー側のデータ通信用端子と、電子機器に設けられた電子機器側のデータ通信用端子とを電気的に接続することでデータを通信するための通信路を構成することになる。
このような電子機器では、受信した電池残量データに基づいてディスプレイに電池残量を示すアイコンやインジケータを表示する。
また、バッテリー装置のケースにＬＥＤなどで構成された表示部を設け、この表示部によって電池残量を表示させるようにしたものが提供されている（特許文献２参照）。
【特許文献１】特開２００５−３４５３６９号公報
【特許文献２】特開平６−１８９４６１号公報
【発明の開示】
【発明が解決しようとする課題】
【０００３】
このような電子機器を使用する際には、電子機器に装着されたバッテリー装置の他に予備のバッテリー装置を携帯することが多く、予備のバッテリー装置の残量を確認する必要が生じる。
そのような場合、前者のバッテリー装置では、予備のバッテリー装置の残量を確認する毎に、電子機器に装着されていたバッテリー装置をいったん取り外して予備のバッテリー装置を電子機器に装着して残量をディスプレイに表示させ、次いで、予備のバッテリー装置を取り外して元のバッテリー装置を取り付けなくてはならず、操作がわずらわしいものとなっている。
一方、後者のバッテリー装置では、バッテリー装置の内部に表示部が占有するスペースが必要となることから、バッテリー装置の小型化を図りつつバッテリー容量の増大を図ることが難しいという問題があった。
本発明はこのような事情に鑑みなされたもので、その目的は、バッテリー装置を電子機器に装着することなくバッテリー装置に関わるデータを電子機器によって容易に取得でき、しかも、バッテリー装置の小型化およびバッテリー容量の増大を図る上で有利なバッテリー装置および電子機器を提供することにある。
【課題を解決するための手段】
【０００４】
上述の目的を達成するため、本発明は、バッテリーセルと、前記バッテリーセルを収容するケースとを有するバッテリー装置であって、アンテナと、前記バッテリー装置が着脱可能に装着される電子機器に設けられた電子機器側通信部との間で前記アンテナを介して無線通信を行うバッテリー側通信部と、前記バッテリー装置に関わるデータであるバッテリーデータを保持するメモリ部と、前記バッテリー側通信部の制御および前記メモリ部に対する前記バッテリーデータのリードおよびライトの双方またはリードのみを行う制御部とを有することを特徴とする。
また本発明は、バッテリー装置が装脱可能に装着される電子機器であって、前記バッテリー装置が前記電子機器に装着されていない状態で、前記バッテリー装置に設けられたバッテリー側通信部との間で無線通信を行う電子機器側通信部を備え、前記電子機器通信部と前記バッテリー側通信部との間でなされる無線通信は、前記バッテリー装置に関わるデータであるバッテリーデータの前記バッテリー側通信部からの受信を含むことを特徴とする。
また本発明は、バッテリー装置が装脱可能に装着される電子機器であって、バッテリー装置が前記電子機器に装着されている状態で、これから交換しようとするバッテリー装置に設けられたバッテリー側通信部との間で無線通信を行う電子機器側通信部を備え、前記電子機器通信部と前記バッテリー側通信部との間でなされる無線通信は、前記これから交換しようとするバッテリー装置に関わるデータであるバッテリーデータの前記バッテリー側通信部からの受信を含むことを特徴とする。
【発明の効果】
【０００５】
本発明のバッテリー装置および電子機器によれば、これから交換しようとする予備のバッテリー装置の例えば残量データなどのバッテリーデータを、それら予備のバッテリー装置を電子機器に装着することなく、電子機器によって容易に取得することができるため、操作性の向上を図る上で有利となる。
また、バッテリー装置にバッテリーデータの表示を行うための表示部を設ける必要がないことから、バッテリー装置の小型化を図りつつバッテリー容量の増大を図る上でも有利となる。
【発明を実施するための最良の形態】
【０００６】
（第１の実施の形態）
次に本発明の実施の形態の電子機器１０とバッテリー装置３０について図面を参照して説明する。
図１は電子機器１０とバッテリー装置３０の斜視図、図２は電子機器１０にバッテリー装置３０が装着された状態を示す説明図である。
本実施の形態では電子機器１０はビデオカメラからなる撮像装置である。
電子機器１０はケース１２と、ケース１２の前部に組み込まれた光学系１４と、該光学系１４で捉えた被写体像を撮像する不図示の撮像素子と、撮像素子で撮像された画像を表示するディスプレイ１６（特許請求の範囲の表示部に相当）と、撮像素子で撮像された画像を記録媒体に記録し、記録媒体から再生する不図示の記録再生部とを有している。ディスプレイ１６は例えば液晶表示器で構成されている。
ケース１２の後部の上部にはビューファインダー装置１７が設けられ、ビューファインダー装置１７の下部にバッテリー装着部１８が設けられている。
バッテリー装置部１８は、撮像素子、ディスプレイ１６、記録再生部などに電源を供給するバッテリー装置３０が着脱可能に装着されるものである。
バッテリー装着部１８は、平坦な装着面１８０２と、装着面１８０２に設けられた複数の係止爪１８０４と、機器側端子２０とを有している。
係止爪１８０４は装着面１８０２の幅方向の両側箇所にそれぞれ複数個設けられている。
【０００７】
図１に示すように、バッテリー装置３０はケース３２を有し、ケース３２は、長方形を呈する底面３２０２と、底面３２０２の四辺に接続された４つの側面３２０４と、側面３２０４を接続する上面３２０６とを有し直方体状を呈している。
底面３２０２の２つの短辺のうち一方の短辺寄りの箇所に機器側端子２０に接続されるバッテリー側端子３４が設けられている。
底面３２０２の２つの長辺にそれぞれ接続された２つの側面３２０４には、係止爪１８０４に係止可能な複数の係止片３２０８が設けられている。
そして、バッテリー装置３０のバッテリー側端子３４をバッテリー装着部１８の機器側端子２０に臨ませ、バッテリー装置３０を装着面１８０２に当接させて下方にスライドさせると、バッテリー装置３０の各係止片３２０８が各係止爪１８０４に係合し、図２に示すように、バッテリー装置３０がバッテリー装着部１８に装着される。
そして、バッテリー装置３０がバッテリー装着部１８に装着されることで、バッテリー側端子３４と機器側端子２０とが接続される。
上面３２０６には後述するバッテリー側操作スイッチ５６が設けられている。
【０００８】
次にバッテリー装置３０について詳細に説明する。
図３は第１の実施の形態における電子機器１０およびバッテリー装置３０の構成を示すブロック図である。
バッテリー装置３０は、バッテリーセル３６と、バッテリー制御部３８およびＩＣタグ４０が設けられた制御基板（不図示）とを有し、バッテリーセル３６と制御基板はケース３２に収容されている。
バッテリーセル３６は二次電池で構成され、本実施の形態では矩形板状のリチウムイオン電池で構成されている。なお、二次電池としては、ニッケルカドミウム電池、ニッケル水素電池など任意のものを採用可能である。
バッテリーセル３６には、正極のセル端子３６Ａ、負極のセル端子３６Ｂが設けられている。
【０００９】
バッテリー制御部３８は、マイクロコンピュータ４２と、充電ＦＥＴ４４と、放電ＦＥＴ４６とを備え、バッテリーセル３６の過充電や過放電を防止し、これによりバッテリーセル３６を保護する機能を有し、バッテリーセル３６の個々の電気的特性（仕様）に合わせて設計されている。
バッテリーセル３６の正極のセル端子３６Ａは、端子３８０２および直列に接続された充電ＦＥＴ４４と放電ＦＥＴ４６を介してバッテリー側端子３４を構成する正極端子３４Ａに電気的に接続されるとともに、マイクロコンピュータ４２に接続されている。
バッテリーセル３６の負極のセル端子３６Ｂは、端子３８０４を介してバッテリー側端子３４を構成する負極端子３４Ｂに電気的に接続されるとともに、マイクロコンピュータ４２に接続されている。
詳細に説明すると、セル端子３６Ａはバッテリー制御部３８の端子３８０２と数十ｍΩ程度の検出抵抗３８１０を介して充電ＦＥＴ４４のソースに接続され、充電ＦＥＴ４４のドレインは放電ＦＥＴ４６のソースに接続され、放電ＦＥＴ４６のドレインは正極端子３４Ａに接続されている。
充電ＦＥＴ４４のソースとドレインの間にはボディダイオード（付加ダイオード）４４０２が形成され、放電ＦＥＴ４６のソースとドレインの間にもボディダイオード（付加ダイオード）４６０２が形成されている。
充電ＦＥＴ４４のゲートと放電ＦＥＴ４６のゲートには、後述するバッテリー制御部３８のドライバ４８から供給される駆動信号が与えられ、これにより、充電ＦＥＴ４４と放電ＦＥＴ４６のオン、オフ動作が制御される。
充電ＦＥＴ４４と放電ＦＥＴ４６によりバッテリーセル３６と正極端子３４Ａとの電気的接続をオンオフするスイッチ部が構成されている。なお、スイッチ部は、バッテリーセル３６と正極端子３４Ａとの電気的接続をオンオフする機能を有するものであればよく、ＦＥＴに限定されるものではない。
【００１０】
マイクロコンピュータ４２は、ドライバ４８、Ａ／Ｄコンバータ５０、インターフェース５２、ＣＰＵ５４などを含んでいる。
ドライバ４８は、ＣＰＵ５４の制御により充電ＦＥＴ４４、放電ＦＥＴ４６のゲートに駆動信号を供給するものである。
Ａ／Ｄコンバータ５０は、検出抵抗３８１０の両端の電位差を計測することでバッテリーセル３６から供給される電流あるいはバッテリーセル３６に供給される電流に対応した電位差値ＥをＣＰＵ５４に供給するものであり、電位差値ＥはＣＰＵ５４でバッテリーセル３６の検出電流に換算される。
インターフェース５２は、ＩＣタグ４０との間で双方向に通信を行う際に用いられるインターフェースである。
【００１１】
ＣＰＵ５４は、不図示のＲＯＭに格納されたプログラムを実行することにより動作するものであり、ドライバ４８、Ａ／Ｄコンバータ５０、インターフェース５２の制御を司るものであり、バッテリーセル３６のセル端子３６Ａ、３６Ｂを介して供給される直流電源によって動作を行うものである。
また、ＣＰＵ５４は、Ａ／Ｄコンバータ５０によって検出されるバッテリーセル３６の検出電流を監視しており、充電時には、検出電流の値に応じて充電ＦＥＴ４４をオフすることでバッテリーセル３６への過充電を防止し、また、放電時には、検出電流の値に応じて放電ＦＥＴ４６をオフすることでバッテリーセル３６の過放電、あるいは、正極端子３４Ａ、負極端子３４Ｂの短絡時の過電流を防止している。
また、ＣＰＵ５４は、バッテリーセル３６の検出電流に基づいてバッテリーセル３６の電池残量を検出し、その残量データをインターフェース５２を介してＩＣタグ４０に供給するように構成されている。
本実施の形態では、ＣＰＵ５４は、充電時と放電時の検出電流を積分することで電池残量を検出する。
したがって、本実施の形態では、検出抵抗３８１０とＡ／Ｄコンバータ５０とＣＰＵ５４とによって特許請求の範囲の残量検出部が構成されている。
なお、電池残量の検出方法は、電流を積分することで求める方法に限定されるものではなく、バッテリーセル３６の電圧に基づいて求めるなど従来公知の様々な方式が採用可能であるが、本実施の形態のようにすると、電池残量をより正確に求める上で有利となる。
また、ＣＰＵ５４は、バッテリー側操作スイッチ５６が操作されたか否かを検出し、操作がなされた場合に、電子機器側通信部７２に対する通信開始を命令する制御指令をＩＣタグ４０に供給するように構成されている。
【００１２】
ＩＣタグ４０は、無線ＩＣタグあるいはＲＦＩＤ（Radio Frequency Identification）とも称されるものであり、電磁波や電波を介して非接触でリーダ／ライタとの間でデータの送信、受信を行うものである。ＩＣタグ４０が無線通信で使用する電磁波あるいは電波の周波数帯域はＩＳＯ規格によって種々定められているが、本発明では特に限定されるものではない。
ＩＣタグ４０は、アンテナ５８、ＩＣタグ側通信部６０、メモリ部６２、インターフェース６４、制御部６６などを含んでいる。
【００１３】
ＩＣタグ側通信部６０は、電子機器１０の電子機器側通信部７２との間でアンテナ５８を介して無線通信を行うものであり、特許請求の範囲のバッテリー側通信部を構成している。
メモリ部６２は、バッテリー装置３０に関わるデータであるバッテリーデータを保持するものであり、本実施の形態では、リードライト可能な不揮発性メモリで構成されている。
また、メモリ部６２には、ＩＣタグ４０を識別するための固有の識別番号（ユニーク番号、ユニークＩＤ（ＵＩＤ））が保持されており、電子機器１０の電子機器側通信部７２の交信エリア内に複数のＩＣタグ４０が同時に存在していても、電子機器側通信部７２が各ＩＣタグ４０を識別して通信を行うことができるようになっている。なお、ＩＣタグ４０の識別方法としては、ビットコリジョン方式、タイムスロット方式など従来公知の様々な方式が採用可能である。
【００１４】
制御部６６は、ＩＣタグ側通信部６０の制御およびメモリ部６２に対するバッテリーデータのリードおよびライトの双方またはリードのみを行うものである。
バッテリーデータとしては、前記の残量データの他、バッテリー装置３０の充電回数（放電回数）を示す使用回数データ、バッテリー装置３０に固有に割り当てられそのバッテリー装置３０が正規品であることを示すバッテリー識別データ、バッテリー装置３０の製造メーカーが固有に割り当てたバッテリーの機種を示す機種データ、バッテリー装置３０の仕様である充電容量、充電電流、充電電圧などの仕様データなどが挙げられる。
言い換えると、バッテリーデータは、残量データや使用回数データなどのようにバッテリー装置３０の使用期間（使用回数）に応じて変動するデータと、バッテリー識別データ、機種データ、仕様データのように使用期間に拘わらず変化しないデータとの２種類がある。
また、制御部６６は、インターフェース６４、５２を介してバッテリー制御部３８のＣＰＵ５４との間で通信を行い、データの送受信を行うとともに、ＣＰＵ５４からの制御指令を受け取るように構成されている。本実施の形態では、制御部６６は、バッテリー制御部３８のＣＰＵ５４との間で通信を行うことにより、残量データや使用回数データなどを得る。
また、ＩＣタグ４０が動作するための電力の供給方式としては、例えば、次のような３つの方式が挙げられる。
（１）ＩＣタグ４０にバッテリーセル３６とは別体のバッテリーを組み込み、そのバッテリーから電力を供給することでＩＣタグ４０をアクティブ型タグとして構成する。
（２）電子機器１０の電子機器側通信部７２からの電磁波（電波）をアンテナ５８で受信することにより発生する電力をＩＣタグ４０が動作するための電力として供給することでＩＣタグ４０をパッシブ型タグとして構成する。
（３）バッテリーセル３６から電力を供給する。
【００１５】
電子機器１０は、機器側端子２０が正極端子２００２、負極端子２００４を有している。
バッテリー装置３０がバッテリー装着部１８に装着された状態で、正極端子２００２、負極端子２００４は、バッテリー装置３０の正極端子３４Ａ、負極端子３４Ｂにそれぞれ接続される。
電子機器１０Ａは、前述したディスプレイ１６の他に、レギュレータ６８、マイクロコンピュータ７０、電子機器側通信部７２を含んでいる。
レギュレータ６８は、正極端子３４Ａ、２０Ａを介してバッテリー装置３０から供給される電源を所定電圧、所定電流に安定化してディスプレイ１６、マイクロコンピュータ７０、電子機器側通信部７２、前記撮像素子、前記記録再生部などに供給するものである。
マイクロコンピュータ７０は、何れも不図示のＣＰＵ、メモリ、周辺インターフェースを備え、ディスプレイ１６を含む電子機器１０の各部の制御を司るものである。
また、マイクロコンピュータ７０は、電子機器側通信部７２と接続され、電子機器側通信部７２とデータの授受を行うとともに、電子機器側通信部７２の制御を司るものである。
マイクロコンピュータ７０は、バッテリー装置３０のＩＣタグ４０から電子機器側通信部７２に送信されたバッテリーデータのうち、残量データに基づいてディスプレイ１６にバッテリー装置３０の残量表示を行う。具体的には、残量データが示す電池残量と電子機器１０の消費電力とに基づいて電子機器１０が動作することができる動作時間を演算して求め、その動作時間を数値、および、動作時間を表すアイコン（インジケータ）の一方または双方によって表示する。
【００１６】
電子機器側通信部７２は、バッテリー装置３０のＩＣタグ４０との間で、言い換えると、ＩＣタグ側通信部６０との間で無線通信を行うものである。図中符号７３は電子機器側通信部７２に設けられたアンテナを示す。
すなわち、電子機器側通信部７２は、ＩＣタグ４０との無線通信を行うことでＩＣタグ４０のメモリ部６２からデータを読み出し、あるいは、ＩＣタグ４０のメモリ部６２にデータを書き込むいわゆるリーダ／ライタの機能を備えるものである。
電子機器側通信部７２とＩＣタグ側通信部６０との間でなされる無線通信は、バッテリー装置３０が電子機器１０に装着されているか否かに拘わらず行うことが可能である。
電子機器通信部７２とＩＣタグ側通信部６０との間でなされる無線通信は、前述したバッテリーデータのＩＣタグ側通信部６０からの受信を含む。
【００１７】
次に、本実施の形態の電子機器１０およびバッテリー装置３０の動作について説明する。
図４は電子機器１０および複数のバッテリー装置３０の斜視図、図５は第１の実施の形態における通信動作を示すフローチャートである。
なお、本実施の形態では説明の便宜上、図４に示すように、電子機器１０に装着され電子機器１０に電力を供給しているバッテリー装置３０を第１バッテリー装置３０−１とし、電子機器１０に装着されておらずこれから交換しようとする予備の３つのバッテリー装置３０（予備バッテリー装置）を第２、第３、第４バッテリー装置３０−２、３０−３、３０−４として説明する。
図５に示すように、第１乃至第４バッテリー装置３０−１乃至３０−４のＣＰＵ５４は、それぞれバッテリー側操作スイッチ５６が操作されたか否かを監視している（ステップＳ１０）。
例えば、電子機器１０に装着されていない第２バッテリー装置３０−２のバッテリー側操作スイッチ５６が操作されると、第２バッテリー装置３０−２のＣＰＵ５４は、ＩＣタグ４０からメモリ部６２に保持されている残量データの読み出しを行う（ステップＳ１２）。詳細には、ＣＰＵ５４がＩＣタグ４０に対して残量データの読み出しを指令する制御コマンドを送出すると、ＩＣタグ４０の制御部６６はメモリ部６２から残量データを読み出す。
次いで、ＣＰＵ５４は、ＩＣタグ４０に対して電子機器１０への通信を開始する旨の要求指令を送出し、これによりＩＣタグ４０の制御部６６はＩＣタグ側通信部６０を介して通信要求コマンドを電子機器側通信部７２に送信し（ステップＳ１４）、電子機器側通信部７２からの通信許可コマンドの受信を待機する（ステップＳ１６）。
【００１８】
一方、電子機器側通信部７２は、ＩＣタグ側通信部６０から通信要求コマンドが受信されたか否かを監視している（ステップＳ２０）。
電子機器側通信部７２は、通信要求コマンドを受信すると（ステップＳ２０で肯定（Ｙ））、無線通信を開始することが可能であれば、通信許可コマンドをＩＣタグ側通信部６０に送信し（ステップＳ２２）、ＩＣタグ側通信部６０からの残量データの受信を待機する（ステップＳ２４）。
【００１９】
ＩＣタグ４０の制御部６６は、電子機器側通信部７２からの通信要求コマンドがＩＣタグ側通信部６０によって受信されると（ステップＳ１６で肯定（Ｙ））、ＩＣタグ側通信部６０を介して残量データを電子機器側通信部７２に送信し（ステップＳ１８）、ステップＳ１０に戻る。
電子機器側通信部７２は、ＩＣタグ側通信部６０からの残量データが受信されると（ステップＳ２４で肯定（Ｙ））、その残量データをマイクロコンピュータ７０に供給する。
マイクロコンピュータ７０は、供給された残量データに基づいて演算を行い（ステップＳ２６）、その演算結果に基づいてディスプレイ１６に残量表示を行う（ステップＳ２８）。
そして、ステップＳ２０に戻る。
このようにしてバッテリー側操作スイッチ５６が操作された第２バッテリー装置３０−２の残量が電子機器１０のディスプレイ１６に表示される。
また、電子機器１０に装着されていない第３、第４バッテリー装置３０−３、３０−４の残量表示も、上述と同様に、当該バッテリー装置３０のバッテリー側操作スイッチ５６を操作することでなされる。
また、電子機器１０に装着された第１バッテリー装置３０−１の残量表示も上述と同様に、当該バッテリー装置３０のバッテリー側操作スイッチ５６を操作することでなされる。
【００２０】
したがって、本実施の形態のバッテリー装置３０および電子機器１０によれば、電子機器１０に装着されていない、これから交換しようとする予備のバッテリー装置３０のＩＣタグ側通信部６０から電子機器側通信部７２に残量データを無線通信により送信することができるので、電子機器１０に装着されていないこれから交換しようとする予備のバッテリー装置３０の残量を電子機器１０のディスプレイ１６に表示させることができる。
そのため、予備のバッテリー装置３０を電子機器１０に装着することなくバッテリー装置３０に関わるデータを電子機器１０によって極めて容易に取得することができ、従来のようにバッテリー装置３０を電子機器１０にいちいち取り付ける必要が無いため、操作性の向上を図る上で有利となる。
特に本実施の形態では、バッテリー装置３０に設けられたバッテリー側操作スイッチ５６を操作するといった簡単な操作でバッテリー装置３０に関わるデータを電子機器１０によって極めて容易に取得することができ操作性の向上を図る上でより有利となる。
また、残量表示を行うための表示部をバッテリー装置３０に設ける必要がないことから、バッテリー装置の小型化を図りつつバッテリー容量の増大を図る上で有利となる。
また、残量表示を行うための表示部をバッテリー装置３０に設けた場合には、表示部の大きさやコストが制限されるため、その表示部によって表示できる内容がごく単純なものに限定されてしまうが、本実施の形態では電子機器１０のディスプレイ１６を用いることができるので、バッテリーデータを詳細に表示することができ有利となる。
また、本実施の形態では、バッテリー装置３０にＩＣタグ４０を設けたので、ＩＣタグの読み取り機能を有する携帯電話機などの携帯用電子機器を用いることでバッテリーデータを読み取り、携帯用電子機器のディスプレイなどに表示させることが可能となり、汎用性を高める上で有利となる。
【００２１】
（第２の実施の形態）
次に第２の実施の形態について説明する。
第１の実施の形態ではバッテリー装置３０にバッテリー側操作スイッチ５２を設けたが、第２の実施の形態では電子機器１０に電子機器側操作スイッチ７４を設けた。
図６は第２の実施の形態における電子機器１０および複数のバッテリー装置３０の斜視図、図７は第２の実施の形態における電子機器１０およびバッテリー装置３０の構成を示すブロック図である。なお、以下の実施の形態において、第１の実施の形態と同一または同様の箇所、部材には同一の符号を付して説明する。
【００２２】
図６に示すように、電子機器１０のケース１２には電子機器側操作スイッチ７４が設けられている。
図７に示すように、マイクロコンピュータ７０は、電子機器側操作スイッチ７４が操作されたか否かを検出し、操作がなされた場合に、バッテリー装置３０のＩＣタグ４０に対する通信動作を開始を命令するように構成されている。
【００２３】
次に、第２の実施の形態の動作について説明する。
図８は第２の実施の形態における通信動作を示すフローチャートである。
図８に示すように、電子機器１０のマイクロコンピュータ７０は電子機器側操作スイッチ７４が操作されたか否かを監視している（ステップＳ３０）。
電子機器側操作スイッチ７４が操作されると、マイクロコンピュータ７０は、電子機器側通信部７２に対して通信動作の開始を指令し、これにより電子機器側通信部７２は通信可能な交信エリア内に位置する第１乃至第４バッテリー装置３０の各ＩＣタグ４０との間で通信を行い、各ＩＣタグ４０固有の識別番号を判別し、ＩＣタグ４０の数を認識する（ステップＳ３２）。本実施の形態では、第１乃至第４バッテリー装置３０−１乃至３０−４の４つのバッテリー装置があるため、電子機器側通信部７２は４つのＩＣタグ４０があることを認識する。
【００２４】
次いで、電子機器側通信部７２は、複数のＩＣタグ４０の中から１つのＩＣタグ４０を選択し、その選択したＩＣタグ４０に対して通信要求コマンドを送信する（ステップＳ３４）。なお、ＩＣタグ４０の選択方法は、例えば、前記識別番号の昇順または降順に選択するなど任意である。
そして、電子機器側通信部７２は、ＩＣタグ側通信部６０からの通信許可コマンドの受信を待機する（ステップＳ３６）。
一方、ＩＣタグ４０は、電子機器側通信部７２からの通信要求コマンドが受信されたか否かを監視しており（ステップＳ４６）、通信要求コマンドを受信すると、通信許可コマンドを電子機器側通信部７２に送信し（ステップＳ４８）、電子機器側通信部７２からのデータ要求コマンドの受信を待機する（ステップＳ５０）。
電子機器側通信部７２はＩＣタグ側通信部６０からの通信許可コマンドを受信すると（ステップＳ３６で肯定（Ｙ））、データ要求コマンドをＩＣタグ４０に送信し（ステップＳ３８）、ＩＣタグ側通信部６０からの残量データの受信を待機する（ステップＳ４０）。
ＩＣタグ４０の制御部６６は、電子機器側通信部７２からのデータ要求コマンドを受信すると（ステップＳ５０で肯定（Ｙ））、メモリ部６２から残量データを読み出し（ステップＳ５２）、残量データをＩＣタグ側通信部６０を介して電子機器側通信部７２に送信させる（ステップＳ５４）。
電子機器側通信部７２はＩＣタグ側通信部６０からの残量データを受信すると（ステップＳ４０で肯定（Ｙ））、その残量データをマイクロコンピュータ７０に供給する。
マイクロコンピュータ７０は、電子機器側通信部７２から供給された残量データに基づいて演算を行い（ステップＳ４２）、その演算結果に基づいてディスプレイ１６に残量表示を行う（ステップＳ４４）。
【００２５】
電子機器側通信部７２は、ステップＳ３２で認識したＩＣタグ４０の数に基づいて、残量データを取得していないＩＣタグ４０があるか否かを判定し（ステップＳ５６）、まだ残量データを取得してないＩＣタグ４０があれば、ステップＳ３４に移行して同様の処理を行い、ステップＳ５６で残量データを取得していないＩＣタグ４０が無い（全てのＩＣタグ４０の残量データを取得した）という判定がなされると、ステップＳ３０に戻る。
このようにして第１乃至第４バッテリー装置３０−１乃至３０−４の残量が電子機器１０のディスプレイ１６に順次表示される。
なお、本実施の形態の場合、電子機器１０のディスプレイ１６に表示されている残量が、４つのバッテリー装置３０のうちのどれに対応するのかを識別する必要がある。
したがって、バッテリー装置３０のケース１２の表面にそのバッテリー装置３０に組み込まれたＩＣタグ４０の識別番号の全部あるいは一部を見分け用データとして表示させておき、残量とともに前記見分け用データをディスプレイ１６に表示させるようにしてもよい。
【００２６】
したがって、第２の実施の形態のバッテリー装置３０および電子機器１０においても、第１の実施の形態と同様の効果が奏される。
また、第２の実施の形態においても第１の実施の形態と同様に、電子機器１０に設けられた電子機器側操作スイッチ７４を操作するといった簡単な操作でバッテリー装置３０に関わるデータを電子機器１０によって極めて容易に取得することができ操作性の向上を図る上でより有利となる。
【００２７】
（第３の実施の形態）
次に第３の実施の形態について説明する。
第３の実施の形態は第２の実施の形態の変形例であり、操作スイッチを用いないものである。
図９は第３の実施の形態における電子機器１０および複数のバッテリー装置３０の斜視図、図１０は第３の実施の形態における電子機器１０およびバッテリー装置３０の構成を示すブロック図である。
図９、図１０に示すように、バッテリー装置３０および電子機器１０の何れにも操作スイッチは設けられていない。
図１１は第３の実施の形態における通信動作を示すフローチャートであり、第２の実施の形態を示す図８と同一内容のステップには同一のステップ番号を付して説明する。
図１１に示すように、電子機器１０の電子機器側通信部７２は、電子機器側通信部７２は通信可能な交信エリア内にＩＣタグ４０が有るか否かを所定時間毎に監視している（ステップＳ６０）。
交信エリア内にＩＣタグ４０が有ると判別すると（ステップＳ６０で肯定（Ｙ））、電子機器側通信部７２は各ＩＣタグ４０との間で通信を行い、各ＩＣタグ４０固有の識別番号を判別し、ＩＣタグ４０の数を認識する（ステップＳ６２）。
本実施の形態では、第１乃至第４バッテリー装置３０−１乃至３０−４の４つのバッテリー装置があるため、電子機器側通信部７２は４つのＩＣタグ４０があることを認識する。
すなわち、本実施の形態では、電子機器側通信部７２は、電子機器側通信部７２との間での通信が可能な交信エリア内にＩＣタグ側通信部６０（バッテリー側通信部）が位置していることを検出するバッテリー側通信部検出部を構成している。
次いで、電子機器側通信部７２は、複数のＩＣタグ４０の中から１つのＩＣタグ４０を選択し、その選択したＩＣタグ４０に対して通信要求コマンドを送信する（ステップＳ３４）。
これ以降は図８と同一の処理であるため説明を割愛する。
【００２８】
このような第３の実施の形態においても第１の実施の形態と同様の効果が奏される。
特に、第３の実施の形態では、残量を表示させようとするバッテリー装置３０を電子機器１０に近接させると、電子機器側通信部７２と通信可能な交信エリア内にＩＣタグ４０（ＩＣタグ側通信部６０）が位置していることが検出され、その検出動作に応じてＩＣタグ側通信部６０から電子機器側通信部７２に残量データが送信されるため、第１、第２の実施の形態と比較して、操作スイッチをバッテリー装置３０および電子機器１０の何れにも設ける必要が無いため、部品点数を削減でき、コストダウンを図る上で有利となる。
【００２９】
（第４の実施の形態）
次に第４の実施の形態について説明する。
第４の実施の形態は、ＩＣタグ４０に設けたフラグをバッテリー側操作スイッチ５６の操作によって設定することで電子機器側通信部７２による通信動作を開始させるようにしたものである。
図１２は第４の実施の形態における電子機器１０およびバッテリー装置３０の構成を示すブロック図である。
図１２に示すように、ＩＣタグ４０に電子機器側通信部７２から読み取り可能な優先通信フラグ６３（特許請求の範囲の優先通信記憶部に相当）が設けられている。本実施の形態では、優先通信フラグ６３はメモリ部６２に設けられている。
ＣＰＵ５４は、バッテリー側操作スイッチ５６の操作に応じて制御部６６に優先通信フラグ６３を立てる（「１」をセットする）指令を与える。
第２の実施の形態で説明したように、電子機器側通信部７２はそれが通信可能な交信エリア内に位置する複数のＩＣタグ４０をＩＣタグ４０に割り当てられた識別番号によってそれぞれ識別することができる。
したがって、バッテリー側操作スイッチ５６の操作によって優先読み取りフラグ６３を立てるようにすれば、言い換えれば、優先通信記憶部に所定のデータを設定すれば、電子機器側通信部７２はそれが通信可能な交信エリア内に位置する複数のＩＣタグ４０のうち、優先通信フラグ６３が立っているＩＣタグ４０に対して通信要求を行うことで、そのＩＣタグ４０から電子機器側通信部７２が残量データを取得することができる。
このような第４の実施の形態によっても第１の実施の形態と同様の効果が奏される。
なお、本実施の形態では、優先通信記憶部として優先通信フラグ６３を用いたが、フラグの代わりにレジスタを用いてもよい。優先通信記憶部はメモリ部６２に設ける必要は無く、制御部６６のレジスタに設けてもよいし、専用の記憶手段を設けてもよい。
【００３０】
なお、実施の形態では、バッテリーデータのうち残量データをバッテリー装置３０から電子機器１０に送信する場合について説明したが、バッテリーデータは残量データ以外のデータであってもよいことは無論である。
また、本実施の形態では、電子機器側通信部７２と無線通信を行う構成として、ＩＣタグ４０のアンテナ、ＩＣタグ側通信部、メモリ部、制御部を用いたが、電子機器側通信部７２と無線通信を行うことができれば、ＩＣタグ４０を用いない構成であってもよいことは無論である。ただし、ＩＣタグ７２を用いると部品点数の削減、コストの削減を図る上で有利となる。
また、実施の形態では、電子機器が撮像装置である場合について説明したが、電子機器はビデオカメラやデジタルスチルカメラなどの撮像装置に限定されるものではなく、本発明は、バッテリー装置が装着されて使用される種々の電子機器に広く適用可能である。
【図面の簡単な説明】
【００３１】
【図１】電子機器１０とバッテリー装置３０の斜視図である。
【図２】電子機器１０にバッテリー装置３０が装着された状態を示す説明図である。
【図３】第１の実施の形態における電子機器１０およびバッテリー装置３０の構成を示すブロック図である。
【図４】電子機器１０および複数のバッテリー装置３０の斜視図である。
【図５】第１の実施の形態における通信動作を示すフローチャートである。
【図６】第２の実施の形態における電子機器１０および複数のバッテリー装置３０の斜視図である。
【図７】第２の実施の形態における電子機器１０およびバッテリー装置３０の構成を示すブロック図である。
【図８】第２の実施の形態における通信動作を示すフローチャートである。
【図９】第３の実施の形態における電子機器１０および複数のバッテリー装置３０の斜視図である。
【図１０】第３の実施の形態における電子機器１０およびバッテリー装置３０の構成を示すブロック図である。
【図１１】第３の実施の形態における通信動作を示すフローチャートである。
【図１２】第４の実施の形態における電子機器１０およびバッテリー装置３０の構成を示すブロック図である。
【符号の説明】
【００３２】
１０……電子機器、３０……バッテリー、３２……ケース、３６……バッテリーセル、４０……ＩＣタグ、５８……アンテナ、６０……ＩＣタグ側通信部、６２……メモリ部、６６……制御部、７２……電子機器側通信部。
【図１】
2008034177.tif 000003
【図２】
2008034177.tif 000004
【図３】
2008034177.tif 000005
【図４】
2008034177.tif 000006
【図５】
2008034177.tif 000007
【図６】
2008034177.tif 000008
【図７】
2008034177.tif 000009
【図８】
2008034177.tif 000010
【図９】
2008034177.tif 000011
【図１０】
2008034177.tif 000012
【図１１】
2008034177.tif 000013
【図１２】
2008034177.tif 000014